(57)【要約】【課題】コンクリート打設時にアンカーボルトの所定の位置に容易に埋設固定出来るとともに脱枠作業等においても対応が容易に出来るアンカーボルト埋設用部材および埋設固定方法を提供することを目的とする。【解決手段】主要部が、長尺状で略中央と両側に孔有した板状部材２とアンカーボルトが接して貫通出来るとともにスリット部と外部側に鍔状部位とこの両側にネジ山部を有したアンカーボルト貫通部材３と該部材３に嵌合しねじ込むことが出来るナット状部材４並びに板状部材２とこれに接する型枠部材とを挟扼し緊結出来る挟扼部材５とからなり、板状部材２およびアンカーボルト貫通部材３ならびにナット状部材４とアンカーボルト６を緊結しアンカーボルトの埋設位置に配置し板状部材２とこれに接する型枠部材７の着設部位とを挟扼部材５により緊結させてコンクリート８を打設しアンカーボルト６を目的位置に埋設固定することが出来る様にする。【選択図】　　　　図５
2004068330.tif 000002
【特許請求の範囲】
【請求項１】
布状コンクリート躯体の上面に配設されるアンカーボルトのコンクリート打設時の埋設固定に供する部材で、主要部が、長尺状で略中央に内面にネジ山部が施された孔部を有するとともに中心から略対称の位置に細長状の孔を有した板状部材、および、該部材の中央の孔部に嵌合出来る部材で略筒状をなし一方の端部から中央にかけてスリット部が施されていて該スリット部の略範囲内の外部側にネジ山部を有するとともにスリット部と反対側の縁部近傍には板状部材の中央の孔部に嵌合出来るネジ山を有し更には前記両ネジ山部の間に本部材を板状部材にねじ込むための鍔状部位を有していて内部をアンカーボルトが接して貫通出来るアンカーボルト貫通部材、ならびに、該部材のスリット部側のネジ山部に嵌合しねじ込むことが出来るナット状部材、更には、板状部材とこれに接するコンクリートの型枠部材の着接部位とを板状部材の細長状の孔を利用して挟扼し緊結出来る挟扼部材とからなり、板状部材の中央の孔部にアンカーボルト貫通部材をねじ込むとともにアンカーボルト貫通部材にアンカーボルトを貫通させナット状部材をねじ込むことにより板状部材およびアンカーボルト貫通部材ならびにナット状部材とアンカーボルトが緊結出来る様にしたことを特徴とするアンカーボルト埋設用部材。
【請求項２】
前述のアンカーボルト埋設用部材の板状部材の上面の長手方向の縁部の少なくとも一方の縁部に寸法を計測出来る目盛りが施されたことを特徴とする請求項１に記載のアンカーボルト埋設用部材。
【請求項３】
請求項１または請求項２に記載のアンカーボルト埋設用部材を用いて、板状部材およびアンカーボルト貫通部材ならびにナット状部材とアンカーボルトを緊結しアンカーボルトの埋設位置に配置し板状部材とこれに接するコンクリートの型枠部材の着接部位とを挟扼部材により挟扼し固着させてその後コンクリートを打設し固化させてアンカーボルトを目的位置に埋設固定することが出来る様にしたことを特徴とするコンクリート躯体へのアンカーボルト埋設固定方法。
【発明の詳細な説明】
【０００１】
【発明の属する技術分野】
本発明は、主に戸建て住宅の基礎の立ち上がり等の布状コンクリート躯体の天端にアンカーボルトを埋設固定する場合で鋼製型枠または樹脂製型枠を用いてコンクリート打設を行う場合において、コンクリート打設時のアンカーボルトの埋設固定に供するアンカーボルト埋設用部材およびコンクリート躯体へのアンカーボルト埋設固定方法に関する。
【０００２】
【従来の技術】
従来から、コンクリート打設のための型枠は合板と角材等を用いて施工するのが一般的であり基礎の寸法精度は良くなく、例えば、戸建て住宅の基礎の立ち上がり等の布状コンクリート部の天端にアンカーボルトを埋設固定する場合おいては短い角材に孔を開けてアンカーボルトを該孔に挿入して前記角材を型枠に打ち付けて吊るすことにより対応するのが一般的で埋設位置の精度が良くない。しかし、近年においては、大地震等の被害の反省から基礎の強度と精度に対する認識が深まりつつあり、型枠精度の向上が図れる鋼製型枠等も多く用いられる様になって来ている。しかしながら、アンカーボルト埋設固定についての精度の向上への努力は余り図られていない様に見受けられる。これは、アンカーボルトの埋設固定のための位置決め固定等に対する適切な方策が未だ提供されていないことも一因である。このため、コンクリート打設時にアンカーボルトの所定の位置に容易に埋設固定出来るとともに脱枠作業等においても対応が容易に出来る方策の提案が望まれている。
【０００３】
【発明が解決しようとする課題】
本発明は、前述の従来技術に鑑みてなされたもので、主に鋼製型枠または樹脂製型枠を用いてコンクリート打設を行う場合において、コンクリート打設時にアンカーボルトの所定の位置に容易に埋設固定出来るとともに脱枠作業等においても対応が容易に出来るアンカーボルト埋設用部材およびコンクリート躯体へのアンカーボルト埋設固定方法を提供することを目的とする。
【０００４】
【課題を解決するための手段】
前記の目的を達成するため、本発明のアンカーボルト埋設用部材は、布状コンクリート躯体の上面に配設されるアンカーボルトのコンクリート打設時の埋設固定に供する部材で、主要部が、長尺状で略中央に内面にネジ山部が施された孔部を有するとともに中心から略対称の位置に細長状の孔を有した板状部材、および、該部材の中央の孔部に嵌合出来る部材で略筒状をなし一方の端部から中央にかけてスリット部が施されていて該スリット部の略範囲内の外部側にネジ山部を有するとともにスリット部と反対側の縁部近傍には板状部材の中央の孔部に嵌合出来るネジ山を有し更には前記両ネジ山部の間に本部材を板状部材にねじ込むための鍔状部位を有していて内部をアンカーボルトが接して貫通出来るアンカーボルト貫通部材、ならびに、該部材のスリット部側のネジ山部に嵌合しねじ込むことが出来るナット状部材、更には、板状部材とこれに接するコンクリートの型枠部材の着接部位とを板状部材の細長状の孔を利用して挟扼し緊結出来る挟扼部材とからなり、板状部材の中央の孔部にアンカーボルト貫通部材をねじ込むとともにアンカーボルト貫通部材にアンカーボルトを貫通させナット状部材をねじ込むことにより板状部材およびアンカーボルト貫通部材ならびにナット状部材とアンカーボルトが緊結出来る様にしたことを特徴とし、付加して、板状部材の上面の長手方向の縁部の少なくとも一方の縁部に寸法を計測出来る目盛りが施されたことを特徴とする。そして、本発明のコンクリート躯体へのアンカーボルト埋設固定方法は、本発明のアンカーボルト埋設用部材を用いて、板状部材およびアンカーボルト貫通部材ならびにナット状部材とアンカーボルトを緊結しアンカーボルトの埋設位置に配置し板状部材とこれに接するコンクリートの型枠部材の着接部位とを挟扼部材により挟扼し固着させてその後コンクリートを打設し固化させてアンカーボルトを目的位置に埋設固定することが出来る様にしたことを特徴とする。
【０００５】
【発明の実施の形態】
本発明のアンカーボルト埋設用部材およびコンクリート構造体へのアンカーボルト埋設固定方法の実施の形態を図面を参照して説明するが、本発明の趣旨に基づき本発明の目的を達成出来うる限りにおいて下記に説明する実施例には限定されない。図１は本発明のアンカーボルト埋設用部材の一例を示す図であり、Ａ図は平面図、Ｂ図は断面図である。図２は本発明のアンカーボルト埋設用部材の板状部材の形状例を示し、Ａ図は平面図、Ｂ図は断面図である。図３は本発明のアンカーボルト埋設用部材のアンカーボルト貫通部材、ナット状部材、挟扼部材の形状例を示し、Ａ〜Ｃ図は平面図、Ｄ〜Ｆ図は断面図である。図４は本発明のアンカーボルト埋設用部材とアンカーボルトを組み付けた状態例を示す断面図である。図５は本発明のアンカーボルト埋設用部材とアンカーボルトを組み付けて型枠部材に留め付けコンクリートを打設した状態例を示す断面図である。
【０００６】
本発明のアンカーボルト埋設用部材１は、例えば、図１〜３に示す様に、主要部が、長尺状で略中央に孔部２ａを有するとともに該孔部２ａを中心とし略対称の位置に細長状の孔２ｂを有した板状部材２と該部材２の中央の孔部２ａに嵌合出来る部材でアンカーボルトが接して貫通出来る孔部３ａを有するとともにスリット部３ｂとネジ山部３ｃ、３ｄならびに鍔状部位３ｅを有したアンカーボルト貫通部材３と該部材３のネジ山部３ｃに嵌合しねじ込むことが出来るナット状部材４並びに板状部材２とこれに接するコンクリートの型枠部材とを板状部材２の細長状の孔２ｂを利用して挟扼し緊結出来る挟扼部材５とからなり、図４に示す様に、板状部材２の中央の孔部２ａにアンカーボルト貫通部材３をねじ込むとともにアンカーボルト貫通部材３にアンカーボルト６を貫通させナット状部材４をねじ込むことにより板状部材２およびアンカーボルト貫通部材３ならびにナット状部材４とアンカーボルト６が緊結出来る様にしたことを特徴とし、付加して、板状部材２の上面の長手方向の縁部の少なくとも一方の縁部に寸法を計測出来る目盛り２ｃが施されていることを特徴としている。
【０００７】
本発明のコンクリート躯体へのアンカーボルト埋設固定方法は、アンカーボルト埋設用部材１を用いて、図４に示す様に、板状部材２およびアンカーボルト貫通部材３ならびにナット状部材４とアンカーボルト６を緊結して、図５に示す様に、アンカーボルト６の埋設位置に配置し板状部材２とこれに接するコンクリート打設用の型枠部材７の着接部位７ａとを挟扼部材５により挟扼し固着させてコンクリート８を打設し固化させてアンカーボルト６を目的位置に埋設固定することが出来る様にしたことを特徴とする。
【０００８】
板状部材２は、例えば、図２に示す様な形状をなし、略中央に孔部２ａと該孔部２ａを中心とし略対称の位置に細長状の孔２ｂを有し付加して縁部に寸法を計測出来る目盛り２ｃが施されている。材質としては、例えば、鉄、ステンレス、アルミ等の金属、または、硬質ポリエチレン、ポリプロピレン、アクリル、ポリカーボネート、塩化ビニル等の硬質プラスチックの単体または複合材が用いられるが、コンクリート打設時等の衝撃や脱枠時の解体を円滑にすること等を勘案すると、鉄またはステンレス等の高強度の金属のものが好ましい。そして、前記例以外の材質のものでも本発明の目的を達成出来うる強度および耐久性等の性能を有する限り限定されない。また、各部位の寸法の設定は、用いられる部材の材質および対応するアンカーボルトならびにコンクリート部の条件等を勘案しアンカーボルト貫通部材３およびナット状部材４ならびに挟扼部材５の形状寸法と連関して適宜設定される。
【０００９】
アンカーボルト貫通部材３は、例えば、図３のＡ図及びＤ図に示す様な形状をなし、アンカーボルトが接して貫通出来る孔部３ａとスリット部３ｂおよびネジ山部３ｃ、３ｄならびに鍔状部位３ｅを有している。材質としては、例えば、硬質ポリエチレン、ポリプロピレン、アクリル、ポリカーボネート、塩化ビニル等の硬質プラスチックの単体または複合材、または、鉄、ステンレス、アルミ等の金属が用いられるが、アンカーボルトのネジ山の損傷の恐れ等を勘案すると硬質プラスチックの方が好ましく、前記例以外の材質のものでも本発明の目的を達成出来うる強度および耐久性等の性能を有する限り限定されない。そして、該部材３の各部位の寸法についてはアンカーボルトの形状寸法および必要とされるアンカーボルトの保持強度ならびに板状部材２とナット状部材４の材質および形状等を勘案して適宜設定される。また、スリット部３ｂのスリット幅は略ネジ山の高さを目処に設定される。そして、スリット部３ｂの範囲の筒形状は先端に向けて少し細めておくことがアンカーボルトの締め込みにおいて好ましい。また、ネジ山部３ｃの形状はナット状部材４のネジ山形状と連関させて設定され、ネジ山部３ｄの板状部材２のネジ山形状と連関させて設定される。
【００１０】
ナット状部材４は、例えば、図３のＢ図及びＥ図に示す様な形状をなしている。材質としては、例えば、鉄、ステンレス、アルミ等の金属、または、硬質ポリエチレン、ポリプロピレン、アクリル、ポリカーボネート、塩化ビニル等の硬質プラスチックの単体または複合材が用いられるが、コンクリート打設時等の衝撃や脱枠時の解体を円滑にすること等を勘案すると、鉄またはステンレス等の高強度の金属のものが好ましい。そして、前記例以外の材質のものでも本発明の目的を達成出来うる強度および耐久性等の性能を有する限り限定されない。また、該部材４の各部位の寸法についてはアンカーボルト貫通部材３のネジ山部３ｃの形状寸法と連関して設定され、市販の六角ナットを用いることも出来る。
【００１１】
挟扼部材５は、例えば、図３のＣ図及びＦ図に示す様な形状をなし、板状部材２の表面に接する部位５ａと型枠部材７の表面に接する部位５ｂならびに挟扼し締め込むためのボルト状部位５ｃとナット状部位５ｄとからなっている。そして、材質としては、例えば、硬質ポリエチレン、ポリプロピレン、アクリル、ポリカーボネート、塩化ビニル等の硬質プラスチックの単体または複合材、または、鉄、ステンレス、アルミ等の金属が用いられるが前記例以外の材質のものでも本発明の目的を達成出来うる強度および耐久性等の性能を有する限り限定されない。また、形状および詳細の寸法の設定は板状部材２および型枠部材７と連関して適宜設定されるとともに本発明の目的を達成出来うる挟扼機能を有する限りにおいて形状及び部位の構成は限定されない。
【００１２】
【発明の効果】
本発明によれば、戸建て住宅の基礎の立ち上がり等の布状コンクリート躯体の天端にアンカーボルトを埋設固定する場合で主に鋼製型枠または樹脂製型枠を用いてコンクリート打設を行う場合において、コンクリート打設時にアンカーボルトの所定の位置に容易に埋設固定出来るとともに脱枠作業等においても対応が容易に出来る様になるためにアンカーボルトの配設精度を高めることに貢献しうるとともに施工の合理化にも寄与出来うる。
【図面の簡単な説明】
【図１】本発明のアンカーボルト埋設用部材の一例を示す図であり、Ａ図は平面図、Ｂ図は断面図である。
【図２】本発明のアンカーボルト埋設用部材の板状部材の一形状例を示し、Ａ図は平面図、Ｂ図は断面図である。
【図３】本発明のアンカーボルト埋設用部材のアンカーボルト貫通部材、ナット状部材、挟扼部材の形状例を示し、Ａ〜Ｃ図は平面図、Ｄ〜Ｆ図は断面図である。
【図４】本発明のアンカーボルト埋設用部材とアンカーボルトを組み付けた状態例を示す断面図である。
【図５】本発明のアンカーボルト埋設用部材とアンカーボルトを組み付けて型枠部材に留め付けコンクリートを打設した状態例を示す断面図である。
【符号の説明】
１　；本発明のアンカーボルト埋設用部材
２　；板状部材
２ａ；板状部材の略中央に内面にネジ山部が施された孔部
２ｂ；板状部材の中心から略対称の位置にある細長状の孔
２ｃ；板状部材の上面の長手方向の縁部の寸法を計測出来る目盛り
３　；アンカーボルト貫通部材
３ａ；アンカーボルト貫通部材のアンカーボルトが接して貫通出来る孔部
３ｂ；アンカーボルト貫通部材のスリット部
３ｃ；アンカーボルト貫通部材のスリット部の略範囲内の外部側のネジ山部
３ｄ；アンカーボルト貫通部材のスリット部の反対側の縁部近傍のネジ山部
３ｅ；アンカーボルト貫通部材の鍔状部位
４　；ナット状部材
５　；挟扼部材
５ａ；挟扼部材の板状部材の表面に接する部位
５ｂ；挟扼部材の型枠部材の表面に接する部位
５ｃ；挟扼部材のボルト状部位
５ｄ；挟扼部材のナット状部位
６　；アンカーボルト
７　；型枠部材
７ａ；型枠部材の板状部材への着接部位
８　；コンクリート
【図１】
2004068330.tif 000003
【図２】
2004068330.tif 000004
【図３】
2004068330.tif 000005
【図４】
2004068330.tif 000006
【図５】
2004068330.tif 000007